(57)【要約】  受信されたデータ・パケットの暗黙のユーザＩＤを検出するための装置および方法が、開示される。データ・パケットが、受信されるときに、データ・パケットが、受信されている少なくとも１つの周波数が、決定される。さらに、データ・パケットの拡散コード・シーケンスが、決定され、また少なくとも１つの決定された周波数と、決定された拡散コード・シーケンスとを使用して、データ・パケットの暗黙のユーザＩＤを決定する。
2016519883.tif 000002
【特許請求の範囲】
【請求項１】
受信されたデータ・パケットの暗黙のユーザＩＤを検出するための方法であって、
−  データ・パケットを受信するステップ（３０）と、
−  前記受信されたデータ・パケットのユーザ・データの少なくとも１つの送信パラメータを決定するステップと、
−  前記少なくとも１つの決定された送信パラメータに応じて前記データ・パケットの暗黙のユーザＩＤを決定するステップ（３７）と
を含む暗黙のユーザＩＤを検出するための方法。
【請求項２】
少なくとも１つの送信パラメータを決定する前記ステップは、
−  前記受信されたデータ・パケットの拡散コード・シーケンスを決定するステップ（３２）
を含む、請求項１に記載の暗黙のユーザＩＤを検出するための方法。
【請求項３】
決定される前記拡散コード・シーケンスは、ツリー構造拡散コード・シーケンスである、請求項２に記載の暗黙のユーザＩＤを検出するための方法。
【請求項４】
少なくとも１つの送信パラメータを決定する前記ステップは、
−  前記データ・パケットが受信されている少なくとも１つの周波数を決定するステップ（３１）
を含む、請求項１乃至３のいずれか１項に記載の暗黙のユーザＩＤを検出するための方法。
【請求項５】
前記データ・パケットは、マルチ・キャリア送信システムを経由して受信される、請求項１乃至４のいずれか１項に記載の暗黙のユーザＩＤを検出するための方法。
【請求項６】
前記決定された少なくとも１つの周波数は、物理リソース・ブロック、１組の物理リソース・ブロック、または１組の物理リソース・ブロックを通してのホッピング・パターンに対応する、請求項４に記載の暗黙のユーザＩＤを検出するための方法。
【請求項７】
前記データ・パケットは、ＳＣ−ＦＤＭＡ送信システム、またはＤＦＴ−事前符号化ＯＦＤＭ送信システムを経由して受信される、請求項１乃至３のいずれか１項に記載の暗黙のユーザＩＤを検出するための方法。
【請求項８】
前記データ・パケットは、ＯＦＤＭ送信システム、またはＦＢＭＣ送信システムを経由して受信される、請求項５または６に記載の暗黙のユーザＩＤを検出するための方法。
【請求項９】
少なくとも１つの送信パラメータを決定する前記ステップは、
−  マルチ・アンテナ・レシーバにおいて前記受信されたデータ・パケットの空間シグネチャを決定するステップ（３３）
を含む、請求項１乃至６のいずれか１項に記載の暗黙のユーザＩＤを検出するための方法。
【請求項１０】
少なくとも１つの送信パラメータを決定する前記ステップは、
−  前記受信されたデータ・パケットの電力レベルを決定するステップ（３４）
を含む、請求項１乃至９のいずれか１項に記載の暗黙のユーザＩＤを検出するための方法。
【請求項１１】
登録されるユーザ機器デバイスの記憶された特性と、前記受信されたデータ・パケットの前記決定された送信パラメータを比較するステップ（３５）をさらに含み、登録されるデバイスの前記特性は、ルックアップ・テーブルに記憶される、請求項１乃至１０のいずれか１項に記載の暗黙のユーザＩＤを検出するための方法。
【請求項１２】
順方向制御シグナリング、またはより高いレイヤの制御シグナリングにより前記ユーザ機器デバイスに対して特性を割り当てるステップ
−  をさらに含む、請求項１乃至１１のいずれか１項に記載の暗黙のユーザＩＤを検出するための方法。
【請求項１３】
前記受信されたデータ・パケットの明示アドレスを決定するステップ（３６）と、
−  前記データ・パケットの起源を識別するために、前記暗黙のユーザＩＤと、前記明示アドレスとを組み合わせるステップと
をさらに含む、請求項１乃至１２のいずれか１項に記載の暗黙のユーザＩＤを検出するための方法。
【請求項１４】
送信システムにおいてデータ・パケットを受信するための装置（１０）であって、請求項１乃至１３のいずれか１項に記載の方法を実行する装置（１０）。
【請求項１５】
送信側（１２）からレシーバ（１０）へとデータ・パケットを送信するための送信システムであって、データ・パケットを送信する（１２）ための少なくとも１つの装置を備えており、前記データ・パケットを送信する（１２）ための前記装置は、送信されるべき前記データ・パケットを符号化するための拡散コード・シーケンスを適用し、また前記送信システムは、請求項１４に記載のデータ・パケットを受信する（１０）ための少なくとも１つの装置をさらに備えている、送信システム。
【発明の詳細な説明】
【技術分野】
【０００１】
本発明は、ワイヤレス・システムにおいて端末またはユーザ機器（ＵＥ：ｕｓｅｒ  ｅｑｕｉｐｍｅｎｔ）を識別するための方法に関する。
【背景技術】
【０００２】
本節は、本発明のよりよい理解を容易にする際に助けとなり得る態様を導入している。それに応じて、本節の陳述は、この観点から読まれるべきであり、また何が先行技術においてあるかについての承認として理解されるべきではない。
【０００３】
機能強化された４Ｇワイヤレス・システムにおいて、また特に将来の５Ｇワイヤレス・システムにおいては、多数のデバイスが、例えば、ユーザ機器デバイス（ＵＥ）が、基地局の、例えば、ｅノードＢ（ｅＮｏｄｅＢ）のカバレッジ・エリアの中に存在するであろう。これらのデバイスのうちの多くは、散発的に、ネットワークにアクセスするだけである。これらのデバイスは、マシン型デバイス（ＭＴＣ：ｍａｃｈｉｎｅ−ｔｙｐｅ  ｄｅｖｉｃｅｓ）、例えば、センサ・デバイスである。散発的トラフィックはまた、例えば、アップデートをトリガするための、天気予報を呼び出すための、またはニュースフィード・アップデートを呼び出すための、アップリンクにおいて、数ビットを搬送するだけのスマートフォン・アプリケーションによって引き起こされることもある。
【０００４】
ユーザ機器デバイスを識別するために、各デバイスは、その明示アドレスを有している。基地局と通信するときに、明示アドレスは、基地局に対して送信される必要があり、オーバーヘッド・データを引き起こす。多数のユーザ機器デバイスの場合には、明示アドレスは、大きなアドレス余裕を提供する必要があり、またそれゆえに、明示アドレスは、長いアドレスである必要がある。アドレスが、長くなればなるほど、より多くのオーバーヘッド・データが、生成される。オーバーヘッドは、相対的なサイズで大きくなる。送信されるべき情報データの量が、比較的小規模であるときに、実際の明示アドレス・データのサイズは、情報データとほぼ同じ程度になる。これは、例えば、述べられたＭＴＣシナリオにおける場合である。
【０００５】
４Ｇワイヤレス・システム、例えば、ＬＴＥ−Ａシステムにおいて、多数のユーザを取り扱う古典的なやり方は、アクティブ状態（ＲＲＣ＿接続された）と、アイドル状態（ＲＲＣ＿アイドル）とを使用することである。より長い期間にわたって送信すべきデータを有することが期待されないデバイスは、アイドル状態にある。
【０００６】
アイドル状態にあるデバイス、またはアクティブ状態であるが、アップリンクに同期されていないユーザは、データを送信することができるようになる前に、ランダム・アクセス・プロシージャを使用する必要がある。さらに、スケジューリング要求（ＳＲ：ｓｃｈｅｄｕｌｉｎｇ  ｒｅｑｕｅｓｔ）を送信するためのデバイスに割り付けられたアップリンク・リソースが、存在していない場合に、デバイスは、ランダム・アクセス・チャネル（ＲＡＣＨ：ｒａｎｄｏｍ  ａｃｃｅｓｓ  ｃｈａｎｎｅｌ）を使用して、スケジューリング要求（ＳＲ）を送信する。
【０００７】
ランダム・アクセス・プロシージャは、以下のステップを、すなわち、
−  プリアンブル送信、
−  ランダム・アクセス応答、
−  レイヤ２／レイヤ３（Ｌ２／Ｌ３）メッセージ、
−  競合解決メッセージ
を含んでいる。
【０００８】
散発的トラフィックと、多数のマシン型デバイスとを有する将来のシナリオにおいては、例えば、いわゆるモノのインターネットにおいては、これらのデバイスは、巨大なランダム・アクセス・プロシージャ・オーバーヘッドを引き起こすことにより、リソースを浪費するであろう。
【発明の概要】
【発明が解決しようとする課題】
【０００９】
そのようなシナリオにおける効率の良い散発的な低レート・データ送信を可能にすることが、本発明の一目的である。
【課題を解決するための手段】
【００１０】
一実施形態によれば、受信されたデータ・パケットの暗黙のユーザＩＤを検出するための方法が、提案されている。データ・パケットが、受信されるときに、データ・パケットの少なくとも１つの送信パラメータが、決定される。受信されるデータ・パケットの暗黙のユーザＩＤが、その少なくとも１つの送信パラメータに応じて決定される。
【００１１】
受信されるデータ・パケットの送信パラメータは、レシーバ、例えば、基地局の側におけるデータ・パケットから導き出すことができるパラメータとして理解されるべきである。そのようなパラメータは、例えば、データ・パケットの符号化に関連しており、データ・パケットを送信するために使用されるＲＦ信号のパラメータなどである。送信パラメータの例は、以下において考察される。
【００１２】
暗黙のユーザＩＤは、データ・パケットの起源に関連した情報として理解されるべきであり、この情報は、データ・パケットそれ自体から、例えば、データ・パケットを搬送する受信信号の物理特性、受信信号の起源の方向、データ・パケットの符号化スキームなどから導き出すことができる。明示アドレスは、データ・パケットの起源を識別するために、オーバーヘッドとして、データ・パケットのユーザ・データに追加される追加のビットから構成されるが、暗黙のユーザＩＤは、追加のビットを追加することなく、送信されたユーザ・データそれ自体から導き出すことができる。
【００１３】
少なくとも１つの決定された送信パラメータに応じてデータ・パケットの暗黙のユーザＩＤを決定することは、データ・パケットのソースが、暗黙のユーザＩＤによって決定されるので、明示アドレス・データの送信が省略され得るという利点を有している。暗黙のユーザＩＤを決定するために必要とされる情報は、いずれにしてもデータ・パケットにおいて使用可能である。それゆえに、オーバーヘッド・データは、そのような情報を送信するために送信される必要はなく、またデータ送信におけるオーバーヘッドは、縮小される。アップリンク同期化は、散発的トラフィックのためにスキップされる。ユーザ機器デバイスは、非同期のやり方で、それらのデータを直ちに送信する。これは、各デバイスが、ネットワークの上で散発的トラフィックだけを生成する、膨大な数のデバイスを有する将来のシナリオにおいて、特に、役に立つ。
【００１４】
一実施形態においては、受信されたデータ・パケットの送信パラメータは、その拡散コード・シーケンスであり、この拡散コード・シーケンスは、データ・パケットを符号化するために使用された。拡散コード・シーケンスは、決定され、またそれを使用して、暗黙のユーザＩＤを決定する。拡散コード・シーケンスは、いずれにしても受信されたデータ・パケットを復調するために必要であり、このようにして拡散コード・シーケンスを使用して、暗黙のユーザＩＤが、いずれにしても使用可能である情報が使用されるという利点を有することを決定している。
【００１５】
一実施形態においては、データ・パケットを符号化するために使用される拡散コード・シーケンスと、それゆえに暗黙のユーザＩＤを検出するための方法によって決定される拡散コード・シーケンスとは、ツリー構造拡散コード・シーケンスである。ツリー構造拡散コード・シーケンスについての一例は、例えば、ウォルシュ・アダマール・シーケンス（Ｗａｌｓｈ−Ｈａｄａｍａｒｄ  ｓｅｑｕｅｎｃｅ）である。ツリー構造拡散コード・シーケンスによって符号化されたデータ・パケットの拡散コード・シーケンスは、例えば、拡散サブシーケンス・セットの相関器ベースのツリー探索によって決定される。これは、拡散コード・シーケンスを決定するための処理の複雑さをかなり低減させる。
【００１６】
一実施形態においては、受信されたデータ・パケットの送信パラメータは、データ・パケットが受信されている少なくとも１つの周波数である。周波数多重化の場合には、データ・パケットが受信された周波数は、データ・パケットの異なる起源を識別する識別子である。一実施形態においては、データ・パケットは、マルチ・キャリア送信システムを経由して受信される。マルチ・キャリア送信システムは、例えば、直交周波数分割多重化（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信システム、またはフィルタ・バンク・ベースのマルチ・キャリア（ＦＢＭＣ：ｆｉｌｔｅｒ−ｂａｎｋ  ｂａｓｅｄ  ｍｕｌｔｉ−ｃａｒｒｉｅｒ）送信システムである。そのようなシステムにおいては、サブバンド情報、または物理リソース・ブロック（ＰＲＢ：ｐｈｙｓｉｃａｌ  ｒｅｓｏｕｒｃｅ  ｂｌｏｃｋｓ）を使用して、データ・パケットが受信される少なくとも１つの周波数を決定する。代わりに、または追加して、ＰＲＢの組、または時間とともにＰＲＢの組を通してのホッピング・パターンを使用して、データ・パケットが受信される少なくとも１つの周波数を決定する。この情報は、受信されたデータ・パケットの処理中に導き出され、またこの情報を使用して、暗黙のユーザＩＤのアドレス空間を規定する。ＦＢＭＣシステムは、異なるデバイスの非同期信号のサイド・ローブが、ずっと弱く、またこのようにして異なるデバイスの隣接するキャリアの間のキャリア間干渉（ＩＣＩ：ｉｎｔｅｒ−ｃａｒｒｉｅｒ  ｉｎｔｅｒｆｅｒｅｎｃｅ）を低減させているという利点を有する。
【００１７】
一実施形態においては、信号フォーマットは、拡散送信システムと、マルチ・キャリアＣＤＭＡ（ＭＣ−ＣＤＭＡ：ｍｕｌｔｉ−ｃａｒｒｉｅｒ  ＣＤＭＡ）のようなマルチ・キャリア送信システムとの組合せであり、このマルチ・キャリア送信システムは、ＯＦＤＭと、ＣＤＭＡとの組合せである。ＯＦＤＭの代わりに、ＦＢＭＣのような他のフィルタ・バンク・ベースのマルチ・キャリア技法が、使用されることもある。一実施形態においては、単一キャリア・システムが、送信のために使用される。単一キャリアを使用した送信システムは、例えば、単一キャリア周波数分割多元接続（ＳＣ−ＦＤＭＡ：ｓｉｎｇｌｅ−ｃａｒｒｉｅｒ  ｆｒｅｑｕｅｎｃｙ−ｄｉｖｉｓｉｏｎ  ｍｕｌｔｉｐｌｅ  ａｃｃｅｓｓ）送信システムの一変形としてのディスクリート・フーリエ変換（ＤＦＴ：ｄｉｓｃｒｅｔｅ  ｆｏｕｒｉｅｒ  ｔｒａｎｓｆｏｒｍ）−事前符号化ＯＦＤＭ送信システムである。
【００１８】
一実施形態においては、マルチ・アンテナ・レシーバが、データ・パケットを受信するために使用される。マルチ・アンテナ・レシーバは、データ・パケットが受信される空間的方向を示しており、またユーザのロケーションの推定を可能にする。この空間シグネチャを使用して、暗黙のユーザＩＤを決定する。これは、暗黙のユーザＩＤを割り当てるための１つのさらなる自由度を提供しており、また暗黙のユーザＩＤのアドレス余裕を拡大する。マシン型通信（ＭＴＣ）システムにおいては、空間特性を使用することは、多数のユーザ機器デバイスが、センサ・デバイスであるので、魅力的であり、これらのセンサ・デバイスは、一般的に移動することはない。それらの空間特性は、かなり安定しており、また暗黙のユーザＩＤについての信頼できる情報を提供する。
【００１９】
一実施形態においては、受信されたデータ・パケットの信号の電力レベルが、決定される。万一送信側の電力が、知られている場合には、例えば、それは、すべてのユーザ機器デバイスについて同じであるので、受信された電力レベルは、信号の減衰が、ユーザ機器デバイスと、レシーバとの間の距離に比例するので、ユーザ機器デバイスと、レシーバとの間の距離を示す。決定された電力レベルを使用して、暗黙のユーザＩＤを決定する。これは、暗黙のユーザＩＤを割り当てるための１つのさらなる自由度を提供し、また暗黙のユーザＩＤのアドレス余裕を拡大する。このようにして、暗黙のユーザＩＤの量は、大きなエリアの上で使用されるアプリケーションのために、かなり強化される。
【００２０】
一実施形態においては、ルックアップ・テーブルには、登録されるユーザ機器デバイスの記憶された特性が、提供される。ルックアップ・テーブルは、上記で述べられた特性のうちの、例えば、周波数と、拡散コード・シーケンスと、空間特性と、電力レベルとのうちの１つまたは複数を含んでいる。ルックアップ・テーブルは、データ・パケットの決定された特性と、ルックアップ・テーブルに記憶される特性とを比較することにより、受信されるデータ・パケットについての暗黙のユーザＩＤを決定する高速なやり方を提供している。
【００２１】
一実施形態においては、レシーバは、例えば、順方向制御シグナリング、またはより高いレイヤ制御シグナリングを使用して、暗黙のユーザＩＤ特性をユーザ機器デバイスに割り当てる。
【００２２】
一実施形態においては、受信されるデータ・パケットは、ユーザの明示アドレスを含んでいる。明示アドレスは、送信されたデータの内部のアドレス・フィールドにおいて送信される。ユーザ機器デバイスは、暗黙のアドレス情報と、明示アドレス情報との混合によって識別される。これは、明示アドレスによって提供されるアドレス空間が、暗黙のユーザＩＤと、それとを組み合わせることにより、機能強化され、またこのようにして、全体のアドレス空間が、強化されるという利点を有する。他方では、暗黙のユーザＩＤのアドレス空間が、レシーバの範囲の中のすべてのユーザ機器デバイスをサポートするのに十分に大きくない場合、暗黙のアドレス空間は、データと組み合わせて送信される追加の明示アドレスによって強化される。特に、多数のユーザ・デバイスを有するマシン型通信シナリオにおいては、アドレス空間についてのこの強化が、望ましい。
【００２３】
一実施形態においては、送信システムにおいてデータ・パケットを受信するための装置が、提案され、そこでは、本装置は、上記で説明されるようにそれらの実施形態による方法を実行する。
【００２４】
一実施形態においては、送信側からレシーバへとデータ・パケットを送信するための送信システムが、提案される。送信システムは、データ・パケットを送信するための少なくとも１つの装置を備えている。データ・パケットを送信するための装置は、送信されるべきデータ・パケットを符号化するための拡散コード・シーケンスを適用する。さらに、送信システムは、上記の実施形態において説明されるように、データ・パケットを受信するための少なくとも１つの装置を備えている。
【００２５】
本発明の実施形態による装置および方法のいくつかの実施形態は、次に、例としてのみ、また添付図面を参照して説明される。
【図面の簡単な説明】
【００２６】
【図１】マシン型通信シナリオを示す図である。
【図２】レシーバ・デバイスの概略図を示す図である。
【図３】暗黙のユーザＩＤを検出するためのフロー・チャートを示す図である。
【発明を実施するための形態】
【００２７】
本説明および図面は、単に本発明の原理を示しているにすぎない。したがって、当業者なら、本明細書において明示的に説明されても、または示されてもいないが、本発明の原理を具現化し、またその趣旨および範囲の内部に含まれる様々な構成を工夫することができるようになることが、理解されるであろう。さらに、本明細書において列挙されるすべての例は、主として、本発明の原理と、当技術を推進するために本発明者等によって寄与される概念とを理解するに際して、読者を支援する教育上の目的のためだけであることを明示的に意図しており、またそのような具体的に列挙された例および状態だけに限定することのないように解釈されるべきである。さらに、本発明の原理、態様、および実施形態、ならびにその特定の例を列挙している本明細書におけるすべての陳述は、その同等形態を包含することが、意図される。
【００２８】
図１は、レシーバ１０、例えば、４Ｇワイヤレス・システムまたは５Ｇワイヤレス・システムにおける基地局と、関連するユーザ機器デバイス１２とを備えている、好ましい一実施形態よるマシン型通信シナリオを示すものである。ユーザ機器デバイス１２と、レシーバ１０とは、これらのデバイスの通信範囲の内部に位置しており、また通信は、送信チャネル１４を経由して実行され、この送信チャネルは、例えば、ワイヤレス送信チャネルである。通信のために、マルチ・キャリア送信システム、例えば、ＯＦＤＭ送信システムもしくはＦＢＭＣ送信システム、または単一のキャリア送信システム、例えば、ＳＣ−ＦＤＭＡもしくはＤＦＴ−事前符号化ＯＦＤＭのいずれかが、使用される。
【００２９】
図２の中には、好ましい一実施形態よるレシーバ１０の概略的概説が、示されている。本発明に関連している要素だけが、図２の中に示されているが、レシーバ１０は、その機能を実行するための追加の手段を備えていることが、理解される。そのような手段は、当技術分野においてはよく知られており、またそれゆえに、明示的に述べられてはいない。レシーバ１０は、アンテナ２０を備えており、このアンテナは、単一チャネル通信またはマルチ・チャネル通信のいずれかのためのアンテナである。一実施形態によれば、アンテナ２０は、空間的に信号を区別するように装備されている。例えば、パッチ・アンテナ・アレイのような制御可能な指向性を有するアンテナ・システムにおいては、入力信号は、それらの受信する方向によって区別可能である。そのような一実施形態は、信号が受信される方向を分析するための空間識別器２１を備えている。一実施形態においては、レシーバ１０は、例えば、位相が較正されている複数のアンテナ要素を装備している。各要素についての信号は、例えば、フィルタリングと、ミキシングと、低雑音増幅と、アナログ・デジタル変換とを含めて、ＲＦチェーンにおいて、受信される。空間処理は、複数のアンテナ入力のデジタル・ベースバンド処理と組み合わせて実行されることもある。ＭＵＳＩＣまたはＥＳＰＲＩＴのような方向発見アルゴリズムが、空間識別のために使用されることもある。他の例は、トレーニング／パイロット／基準シンボルに基づいた、またはブラインド・チャネル推定方法によるチャネル推定の使用を含んでいる。推定されたチャネルから、異なるメトリクスを使用して、空間分離のためのデバイスの空間特性を判断することができる。一実施形態においては、デバイスのチャネル共分散行列が、推定されたチャネルから推論され、また次いでその最大の固有ベクトルが、計算される。典型的なマクロ・セルラー方式環境において、別のデバイスの最大の固有ベクトルを有するこの固有ベクトルのスカラー積が、小さい場合、それらは、空間において良く分離可能である。それゆえに、異なるデバイスの信号が、異なる部分空間に存在するかどうかが、決定される。一実施形態においては、レシーバは、例えば、パイロット・シンボルに基づいて、またはブラインド・チャネル推定に基づいて、あるいは拡散の場合には相関器の出力電力に基づいて、受信される信号の電力レベルを決定するための電力測定ユニット２２を備えている。さらに、レシーバ１０は、データ・パケットが受信される周波数を決定するための周波数検出器２３を備えている。データ・パケットを符号化するために使用された拡散コード・シーケンスを決定するための拡散コード検出器２４が、提供される。一実施形態においては、拡散コード空間は、アクティビティを検出するために異なる拡散シーケンスの出力電力を測定する相関器によってスキャンされる。散発的トラフィックを有するＭＴＣシステムにおけるデバイス・アクティビティは、乏しいので、圧縮された感知する方法はまた、それぞれの拡散コードのアクティビティ検出のために使用されることもある。一実施形態においては、拡散コード検出器２４は、万一データ・パケットが、ツリー構造拡散コード・シーケンス、例えば、ウォルシュ・アダマール・シーケンスによって符号化された場合には、拡散サブシーケンス・セットの相関器ベースのツリー探索を実行する。一実施形態においては、レシーバ１０は、暗黙のユーザＩＤを決定するために登録されるデバイスの記憶された特性を有するルックアップ・テーブル２５を備えている。そのようなルックアップ・テーブル２５は、例えば、拡散コードと、周波数とについての可能性のある組合せを含んでおり、またこれらの組合せのおのおののために、１つの記憶された暗黙のユーザＩＤを関連づける。一実施形態においては、受信されたデータ・パケットを伴って送信される明示アドレスを復号するためのアドレス・デコーダ２６が、提供される。明示アドレスと、暗黙のアドレスＩＤとは、ユーザ機器デバイス１２を識別するために組み合わされる。上記で説明される構造的要素は、例示的な性質のものにすぎない。これらの要素のうちの必ずしもすべてが、本発明を実装するときに存在するとは限らず、またそれらのシーケンスの変更もまた本発明の範囲内にあることが、理解される。構造的要素について与えられる例は、本発明の理解をサポートするためにすぎず、またこれらの例だけに実装を限定するものではない。
【００３０】
図３において、ユーザ機器デバイス１２を識別するための、またレシーバ１０、例えば、基地局によりユーザ機器デバイス１２の暗黙のユーザＩＤを検出するための概略的概説が、開示される。最初に、ユーザ機器デバイス１２によって送信されるデータ・パケットが、受信される（３０）。データ・パケットは、上記で説明されるように、例えば、マルチ・キャリア・システムまたは単一キャリア・システムによって受信される。受信されたデータ・パケットの送信周波数は、ステップ３１において決定される。マルチ・キャリア・システムにおいては、送信周波数は、時間とともに、サブバンド、またはＰＲＢ、あるいはＰＲＢのホッピング・パターンである。ステップ３２において、受信されるデータ・パケットの拡散コード・シーケンスが、決定される。したがって、データ・パケットの暗黙のコード・ベースの情報が、分析される。一実施形態においては、拡散コード・シーケンスは、ツリー構造の形で、例えば、ウォルシュ・アダマール・シーケンスの形で配列され、このツリー構造は、効率的にスキャンされ、また分析される可能性がある。相関器ベースのツリー探索、または他の知られている方法を使用して、拡散コード・シーケンス・セットと、そのサブシーケンス・セットとを決定する。一実施形態においては、レシーバ１０に相互に関連したユーザ機器デバイス１２のロケーションが、決定される。ステップ３３においては、空間シグネチャが、受信信号の空間識別を可能にする実施形態において決定される。空間シグネチャは、レシーバ１０の観点からの方向に、対応するユーザ機器デバイス１２が、位置している情報である。特別なシグネチャを決定することは、例えば、レシーバ１０が、いくつかのアンテナ２０を装備している場合に、実現可能である。空間シグネチャが、明らかに異なる場合、１組のユーザ機器デバイス１２の間の空間的再使用が、異なるユーザ機器デバイス１２に対してホッピング・パターンを含む同じ拡散コード・シーケンスと周波数とを割り当てることにより、行われる可能性がある。空間シグネチャを差別化するための判断基準は、例えば、フィードバック・シグナリングからの、異なる受信共分散行列と、到着の明らかに異なる方向と、直交アップリンク受信チャネル・ベクトルと、直交する好ましいダウンリンク事前符号化行列インジケータ（ＰＭＩ：ｐｒｅｃｏｄｉｎｇ  ｍａｔｒｉｘ  ｉｎｄｉｃａｔｏｒｓ）とである。一実施形態においては、レシーバ１０に相互に関連するユーザ機器デバイス１２のロケーションをさらに決定するために、ユーザ機器デバイス１２と、レシーバとの間の距離は、ステップ３４において決定される。この距離についての尺度は、ユーザ機器デバイス１２によってデータ・パケットを送信するために使用されている信号電力が、知られていると仮定すると、レシーバ１０において受信される信号電力である。上記で説明されるようにセンサ・デバイスを使用するＭＴＣシナリオにおいては、ユーザ機器デバイス１２の送信電力は、レシーバ１０において知られている。ステップ３５において、先行するステップにおいて決定される情報は、ルックアップ・テーブル２５に記憶される値と比較される。ルックアップ・テーブルは、対応��るレシーバ１０に関してユーザ機器デバイス１２の特性値を含んでいる。これらの値を使用して、暗黙のユーザＩＤは、決定される（３７）。受信されたデータ・パケットが、明示アドレスも含む場合、このアドレスは、ステップ３６において決定される。その後に、受信されたデータ・パケットを送信したユーザ機器デバイス１２は、暗黙のユーザＩＤにより、または暗黙のユーザＩＤと、明示アドレスとの組合せにより、識別される。上記で説明されたステップが、発生順に説明されていないことが、理解される。本発明によれば、必ずしもすべてのステップが、暗黙のユーザＩＤを決定するために実行される必要があるとは限らず、またそれらのステップを実行するシーケンスは、本発明の範囲内で変更される可能性がある。
【００３１】
１００個のＰＲＢと、２４という拡散ファクタとを有する例示の一実施形態においては、１つのＰＲＢ送信の場合には、２４００個の暗黙のユーザＩＤが、区別する特徴として、拡散コード・シーケンスと、周波数とを使用して、使用可能である。そのようなユーザの大規模な組を有する４つのアンテナを装備したレシーバは、空間的に直交しているユーザの少なくとも対を簡単に見出すことができ、それゆえに、暗黙のアドレス空間を４８００個のデバイスへと増大させる。暗黙のユーザＩＤと組み合わせて８ビットの明示アドレスを使用することは、１つのレシーバ１０の範囲内で、１００万個よりも多いユーザ機器デバイス１２を区別することを可能にする。
【００３２】
任意の機能ブロックを含めて、図面において示される様々な要素の機能は、専用のハードウェア、ならびに適切なソフトウェアに関連してソフトウェアを実行することができるハードウェアの使用を通して提供される可能性がある。プロセッサによって提供されるときに、それらの機能は、単一の専用プロセッサにより、単一の共用プロセッサにより、またはプロセッサのうちのいくつかが、共用され得る複数の個別のプロセッサにより、提供されることもある。さらに、それらの機能は、限定することなしに、デジタル信号プロセッサ（ＤＳＰ：ｄｉｇｉｔａｌ  ｓｉｇｎａｌ  ｐｒｏｃｅｓｓｏｒ）ハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとによって提供される。他のハードウェアが、従来および／またはカスタムもまた、含まれる可能性もある。
【図１】
2016519883.tif 000003
【図２】
2016519883.tif 000004
【図３】
2016519883.tif 000005
【国際調査報告】
2016519883.tif 000006
2016519883.tif 000007
2016519883.tif 000008